【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
プロピレンに由来する構造単位を９０重量％以上有するプロピレン重合体（Ａ）（ただし、該プロピレン重合体の全重量を１００重量％とする）と、
下記エラストマー重合体（Ｂ）と、
下記プロピレンブロック共重合体（Ｃ）と
を含有し、
下記要件（１）、要件（２）、要件（３）および要件（４）の全てを満たすプロピレン重合体組成物。
エラストマー重合体（Ｂ）：
エチレンに由来する構造単位と炭素数３〜１０のα−オレフィンに由来する構造単位とを有し、エチレンに由来する構造単位を１０重量%より多く９９重量％以下有するエチレン−α−オレフィン共重合体（ただし、該エチレン−α−オレフィン共重合体の全重量を１００重量％とする）、および、水添共役ジエン重合体からなる群より選ばれる少なくとも一種の重合体。
プロピレンブロック共重合体（Ｃ）：
プロピレンに由来する構造単位を９０重量％以上有するプロピレン重合ブロック（Ｉ）（ただし、該プロピレン重合ブロックの全重量を１００重量％とする）と、
エチレンに由来する構造単位と炭素数３〜１０のα−オレフィンに由来する構造単位とを有し、エチレンに由来する構造単位を１０重量%より多く９９重量％以下有するエチレン−α−オレフィン共重合ブロック（ただし、該エチレン−α−オレフィン共重合ブロックの全重量を１００重量％とする）、および、水添共役ジエン重合ブロックからなる群より選ばれる少なくとも一種のエラストマーブロック（ＩＩ）と
からなるプロピレンブロック共重合体。
要件（１）：プロピレン重合体組成物が１００℃以上の融点を有すること。
要件（２）：プロピレン重合体組成物の極限粘度が１．０ｄｌ／ｇ以上であること。
要件（３）：プロピレン重合体組成物の２５℃のｐ−キシレンに不溶の成分の数平均分子量と、プロピレン重合体組成物の２５℃のｎ−ヘプタンに不溶の成分の数平均分子量の少なくとも一方が８００００以上であること。
要件（４）：エラストマー重合体（Ｂ）のポリスチレン換算の数平均分子量に対する、プロピレン重合体（Ａ）のポリスチレン換算の数平均分子量の比が１．５以上２０以下であること。
【請求項２】
プロピレン重合体組成物の２５℃のｐ−キシレンに不溶の成分に含まれる、前記エラストマー重合体（Ｂ）の含有量と前記プロピレンブロック共重合体（Ｃ）のエラストマーブロック（ＩＩ）の含有量との合計が５〜５０重量％である（ただし、２５℃のｐ−キシレンに不溶の成分を１００重量％とする）、請求項１に記載のプロピレン重合体組成物。
【請求項３】
プロピレン重合体組成物の２５℃のｎ−ヘプタンに不溶の成分に含まれる、前記エラストマー重合体（Ｂ）の含有量と前記プロピレンブロック共重合体（Ｃ）のエラストマーブロック（ＩＩ）の含有量との合計が５〜５０重量％である（ただし、２５℃のｎ−ヘプタンに不溶の成分を１００重量％とする）、請求項１に記載のプロピレン重合体組成物。
【請求項４】
プロピレン重合体組成物の全重量を１００重量％として、前記プロピレンブロック共重合体（Ｃ）の含有量が５０重量％以上である、請求項１〜３のいずれか一項に記載のプロピレン重合体組成物。
【請求項５】
前記エラストマー重合体（Ｂ）が、エチレン−プロピレン共重合体であり、
前記プロピレンブロック共重合体（Ｃ）のエラストマーブロック（ＩＩ）が、エチレン−プロピレン共重合ブロックであり、
下記要件（５）を満たす、請求項１〜４のいずれか一項に記載のプロピレン重合体組成物。
要件（５）：
プロピレン重合体組成物の２５℃のｐ−キシレンに不溶の成分に含まれる、前記エチレン−プロピレン共重合体の含有量と前記エチレン−プロピレン共重合ブロックの含有量との合計を１００重量％として、該ｐ−キシレンに不溶の成分に含まれるエチレンに由来する構造単位の含有量をα重量％、
プロピレン重合体組成物の２５℃のｎ−ヘプタンに不溶の成分に含まれる、前記エチレン−プロピレン共重合体の含有量と前記エチレン−プロピレン共重合ブロックの含有量との合計を１００重量％として、該ｎ−ヘプタンに不溶の成分に含まれるエチレンに由来する構造単位の含有量をβ重量％、
前記エチレン−プロピレン共重合体に含まれるエチレンに由来する構造単位の含有量と、前記エチレン−プロピレン共重合ブロックに含まれるエチレンに由来する構造単位の含有量の合計（ただし、プロピレン重合体組成物中のエチレン−プロピレン共重合体の含有量とエチレン−プロピレン共重合ブロックの含有量との合計を１００重量％とする）をγ重量％として、
αとγの差の絶対値と、βとγの差の絶対値の少なくとも一方が、１０重量％以下であること。
【請求項６】
前記エラストマー重合体（Ｂ）が、エチレンに由来する構造単位と炭素数４〜１０のα−オレフィンに由来する構造単位とを有し、エチレンに由来する構造単位を１０重量%より多く９９重量％以下有するエチレン−α−オレフィン共重合体（ただし、該エチレン−α−オレフィン共重合体の全重量を１００重量％とする）であり、
前記プロピレンブロック共重合体（Ｃ）のエラストマーブロック（ＩＩ）が、エチレンに由来する構造単位と炭素数４〜１０のα−オレフィンに由来する構造単位とを有し、エチレンに由来する構造単位を１０重量%より多く９９重量％以下有するエチレン−α−オレフィン共重合ブロック（ただし、該エチレン−α−オレフィン共重合ブロックの全重量を１００重量％とする）であり、
該エチレン−α−オレフィン共重合体の全炭素数１０００あたりの短鎖分岐数が、１０〜２００であり、
該エチレン−α−オレフィン共重合ブロックの全炭素数１０００あたりの短鎖分岐数が、１０〜２００である、請求項１〜４のいずれか一項に記載のプロピレン重合体組成物。
【請求項７】
前記エラストマー重合体（Ｂ）が、前記水添共役ジエン重合体であり、
前記プロピレンブロック共重合体（Ｃ）のエラストマーブロック（ＩＩ）が、前記水添共役ジエン重合ブロックであり、
前記水添共役ジエン重合体の全炭素数１０００あたりの短鎖分岐数が、１０〜２００であり、
前記水添共役ジエン重合ブロックの全炭素数１０００あたりの短鎖分岐数が、１０〜２００である、請求項１〜４のいずれか一項に記載のプロピレン重合体組成物。
【請求項８】
前記プロピレン重合体組成物のポリスチレン換算の数平均分子量に対する、前記プロピレン重合体組成物のポリスチレン換算の重量平均分子量の比が１．５以上３．０以下である、請求項１〜７のいずれか一項に記載のプロピレン重合体組成物。
【請求項９】
プロピレン重合体（ｉ）とエチレン系共重合体（ｉｉ）とからなるヘテロファジックプロピレン重合材料（Ｄ）と、
請求項１〜８のいずれか一項に記載のプロピレン重合体組成物と
の混合物であって、
該混合物に含まれる重合体成分の全重量を１００重量％として、混合物に含まれる重合体成分中の２５℃のｐ−キシレンに不溶の成分の含有量と、２５℃のｎ−ヘプタンに不溶の成分の含有量の少なくとも一方が５０〜９５重量％である混合物。
【請求項１０】
さらに、無機フィラーを含有する請求項９に記載の混合物であって、
該混合物の全重量を１００重量％として、無機フィラーの含有量が１〜４０重量％である混合物。
【請求項１１】
末端無水マレイン酸変性プロピレン重合体と、下記の末端官能基化エラストマー重合体とを混合し、これらの一部を反応させることにより、
末端無水マレイン酸変性プロピレン重合体と末端官能基化エラストマー重合体との反応物である前記プロピレンブロック共重合体（Ｃ）と、
前記プロピレン重合体（Ａ）である未反応の末端無水マレイン酸変性プロピレン重合体と、前記エラストマー重合体（Ｂ）である未反応の末端官能基化エラストマー重合体と
を含有するプロピレン重合体組成物を得る工程
を含む、請求項１〜８のいずれか一項に記載のプロピレン重合体組成物の製造方法。
末端官能基化エラストマー重合体：
エチレンに由来する構造単位と炭素数３〜１０のα−オレフィンに由来する構造単位とを有し、エチレンに由来する構造単位を１０重量%より多く９９重量％以下有するエチレン−α−オレフィン共重合体（ただし、該エチレン−α−オレフィン共重合体の全重量を１００重量％とする）、および、水添共役ジエン重合体からなる群より選ばれる少なくとも一種のエラストマー重合体の末端に、水酸基またはアミノ基を有する重合体。
【請求項１２】
末端無水マレイン酸変性プロピレン重合体と、前記末端官能基化エラストマー重合体との混合を、溶融混練により行う、請求項１１に記載のプロピレン重合体組成物の製造方法。